(57)【特許請求の範囲】
【請求項１】
親扉と、
前記親扉の表裏を貫通し人が通り抜け可能な開口形状に形成された子扉用開口部を開閉自在にし、かつ室外側に開くように前記親扉に取り付けられた子扉と、
前記子扉を半開きの所定の角度に開いた状態に維持可能にする維持手段と、
前記親扉の室内側の側面に前記子扉用開口部を覆うように取り付けられ、前記親扉の表裏を結ぶ方向に空気を通す通風部と、
を有し、
前記通風部は、室内側に開くように開閉自在に取り付けられ、
前記維持手段により開いた状態が解除された前記子扉を開いた状態にし、かつ前記通風部を室内側に開いた状態にすると前記子扉用開口部を人が通り抜けることができる子扉付きドア。
【請求項２】
前記子扉は、側面に取り付けられた蝶番によって前記親扉に対して回動自在に支持されて前記蝶番が取り付けられている側面とは反対の側面が親扉に対して接離可能とされており、
前記維持手段は、前記反対の側面と前記親扉との間にアームをかけ渡して前記子扉を開いた状態に維持し、予め設定した温度になると、前記アームをかけ渡した状態を解除して、開いた状態に維持している前記子扉を閉じるように構成されている請求項１に記載の子扉付きドア。
【請求項３】
前記子扉の室外側の側面の外周には、当該子扉が閉じられている状態で前記親扉の室外側の側面の前記子扉用開口部の外周部に対向する位置まで延在する鍔部が形成されており、
前記子扉は、前記親扉に対して回動自在に支持されており、回転軸を中心に回動しながら室外側に持ち出しながら開かれる請求項１又は２に記載の子扉付きドア。
【発明の詳細な説明】
【技術分野】
【０００１】
本発明は、例えば、戸建て住宅や集合住宅などの建物の玄関に施工される子扉付きドアに関する。
【背景技術】
【０００２】
従来、このような子扉付きドアとして、ガラリによって通風（換気）機能を備えた建物用ドアが提案されている（特許文献１）。
【先行技術文献】
【特許文献】
【０００３】
【特許文献１】特開２００５−２０７１５２号公報
【発明の概要】
【発明が解決しようとする課題】
【０００４】
本発明の目的は、子扉付きドアにおいて、子扉を開けている状態で室外からの虫等の侵入を防ぐことである。
【課題を解決するための手段】
【０００５】
前記課題を解決するために、本発明の第１の態様は、  親扉と、前記親扉の表裏を貫通し人が通り抜け可能な開口形状に形成された子扉用開口部を開閉自在にし、かつ室外側に開くように前記親扉に取り付けられた子扉と、前記子扉を半開きの所定の角度に開いた状態に維持可能にする維持手段と、前記親扉の室内側の側面に前記子扉用開口部を覆うように取り付けられ、前記親扉の表裏を結ぶ方向に空気を通す通風部と、を有し、前記通風部は、室内側に開くように開閉自在に取り付けられ、前記維持手段により開いた状態が解除された前記子扉を開いた状態にし、かつ前記通風部を室内側に開いた状態にすると前記子扉用開口部を人が通り抜けることができる子扉付きドアである。
【０００６】
本発明の第２の態様では、前記子扉は、側面に取り付けられた蝶番によって前記親扉に対して回動自在に支持されて前記蝶番が取り付けられている側面とは反対の側面が親扉に対して接離可能とされており、前記維持手段は、前記反対の側面と前記親扉との間にアームをかけ渡して前記子扉を開いた状態に維持し、予め設定した温度になると、前記アームをかけ渡した状態を解除して、開いた状態に維持している前記子扉を閉じるように構成されていることが好ましい。
【０００７】
本発明の第３の態様では、前記子扉の室外側の側面の外周には、当該子扉が閉じられている状態で前記親扉の室外側の側面の前記子扉用開口部の外周部に対向する位置まで延在する鍔部が形成されており、前記子扉は、前記親扉に対して回動自在に支持されており、回転軸を中心に回動しながら室外側に持ち出しながら開かれることが好ましい。
【発明の効果】
【０００９】
本発明の前記第１の態様によれば、子扉付きドアは、子扉用開口部を覆うように通風部を設けることで、子扉を開けている状態で子扉用開口部からの虫等の侵入を防げる。
また、本発明の前記第１の態様によれば、子扉付きドアは、災害時に室内の人が子扉用開口部を通って室外へ迅速に逃げ出して避難できる。
【００１０】
本発明の前記第２の態様によれば、子扉付きドアは、火災発生時に子扉が自動的に閉まり、防災基準が満たされる。
【００１１】
本発明の前記第３の態様によれば、子扉付きドアは、親扉と子扉との間の隙間を鍔部で室外側から目隠しでき、防犯性に優れるとともに、子扉が持ち出しながら開かれることで、鍔部を親扉に干渉させることなく子扉を開けることができる。
【図面の簡単な説明】
【００１３】
【図１】図１は、実施形態に係る子扉付きドアを示す図であって、（Ａ）は正面図（外観図）、（Ｂ）は背面図（内観図）、（Ｃ）は平面図である。
【図２】図２は、子扉付きドアの垂直断面図である。
【図３】図３は、子扉付きドアの水平断面図である。
【図４】図４は、子扉の回転機構を示す水平断面図である。
【図５】図５は、子扉用の蝶番を示す図であって、（Ａ）は正面図、（Ｂ）は平面図、（Ｃ）は側面図である。
【図６】図６は、子扉が半開きに維持された状態を示す水平断面図である。
【図７】図７は、換気用ストッパを示す図であって、（Ａ）は正面図、（Ｂ）は側面図である。
【発明を実施するための形態】
【００１４】
本発明の実施形態を図面を参照しつつ説明する。
実施形態では、子扉付きドアを挙げている。
【００１５】
（構成）
図１は、実施形態に係る子扉付きドアを示す図であって、同図中（Ａ）は正面図（外観図）、同図中（Ｂ）は背面図（内観図）、同図中（Ｃ）は平面図である。図２は、子扉付きドアの垂直断面図である。図３は、子扉付きドアの水平断面図である。図４は、子扉の回転機構を示す水平断面図である。図５は、子扉用の蝶番を示す図であって、同図中（Ａ）は正面図、同図中（Ｂ）は平面図、同図中（Ｃ）は側面図である。図６は、子扉が半開きに維持された状態を示す水平断面図である。図７は、換気用ストッパを示す図であって、同図中（Ａ）は正面図、同図中（Ｂ）は側面図である。
【００１６】
図１に示すように、子扉付きドア１は、戸建て住宅や集合住宅の玄関ドアとして施工されるもので、外開き式の親扉２を有している。親扉２は、鋼板材料によって縦長長方形板状に形成された扉本体２ａを有している。扉本体２ａは、室内側（玄関側）から見て、左側に支持側端面２ｄ、右側に開放側端面２ｅが形成されている。親扉２は、３個の蝶番３を介して矢印で示すように回転して室外側（外部側）に開くようにドア枠４に取り付けられている。
【００１７】
図１（Ａ）に示すように、扉本体２ａの室外側の表側面２ｂには、開放側端面２ｅの近傍に外側のハンドル５が取り付けられている。図１（Ｂ）に示すように、扉本体２ａの室内側の裏側面２ｃには、開放側端面２ｅの近傍に内側のハンドル６が取り付けられている。さらに、扉本体２ａの室内側の裏側面２ｃには、ドア枠４の上辺部との間にドアクローザ７が取り付けられている。
【００１８】
図１に示すように、扉本体２ａの中央部のやや支持側端面２ｄ寄りの部位には、親扉２の表裏を貫通するように子扉用開口部１０が縦長長方形断面状に形成されている。扉本体２ａには、特定形状の３個の蝶番１２を介して外開き式の子扉１１が、子扉用開口部１０を開閉自在にし、かつ、室外側に持ち出しながら矢印で示すように回転して室外側に開くように取り付けられている。
【００１９】
図１に示すように、子扉１１は、鋼板材料等の親扉２と同様な材料によって縦長長方形板状に形成された扉本体１１ａを有している。子扉１１の扉本体１１ａは、親扉２の扉本体２ａと同様、室内側から見て、左側に支持側端面１１ｂ、右側に開放側端面１１ｃが形成されている。図２及び図３に示すように、子扉１１の扉本体１１ａは、親扉２の扉本体２ａと同じ厚さで、親扉２の扉本体２ａに対して若干の隙間Ｃ１をあけて子扉用開口部１０に収容されうるように子扉用開口部１０より少し小さくなっている。図１（Ａ）及び（Ｂ）に示すように、子扉１１の扉本体１１ａには、ドアスコープ８が埋設されている。
【００２０】
図２及び図３に示すように、親扉２の室内側の裏側面２ｃには、枠体１７を介して気密ゴム１５が、親扉２と子扉１１との隙間Ｃ１をその全長にわたって塞ぐように子扉用開口部１０の周縁に沿って配設されている。
【００２１】
図２乃至図４に示すように、子扉１１の室外側の表側面１１ｄの外周には、親扉２と子扉１１との隙間Ｃ１を室外側から目隠しする鍔部９が形成されている。例えば、鍔部９は鋼板材料によって形成されている。鍔部９は、親扉２と子扉１１との隙間Ｃ１より広い幅Ｗ１を有しており、子扉１１が閉じられている状態で親扉２の室外側の表側面２ｂの子扉用開口部１０の外周部１０ａに対向する位置まで延在している。
【００２２】
また、図３及び図４に示すように、子扉１１の扉本体１１ａの支持側端面１１ｂと、この支持側端面１１ｂに対向する親扉２の扉本体２ａの支持側端面２ｄとの間には、３個の蝶番１２が上中下３段で取り付けられている。図５に示すように、各蝶番１２はそれぞれ、主に親扉２側に取り付けられる親扉用羽根１２ａと、子扉１１側に取り付けられる子扉用羽根１２ｂと、丸棒軸１２ｃと、スプリング１２ｄと、２個のワッシャ１２ｅとから構成されている。
【００２３】
ここで、図４及び図５に示すように、親扉用羽根１２ａは、略Ｌ字断面形状に形成されており、端部１２ａ１が複数個の皿ねじ１２ｆで親扉２の扉本体２ａの支持側端面２ｄに止め付けられている。子扉用羽根１２ｂは、略コ字又は略Ｕ字の断面形状に形成されており、端部１２ｂ１（実際には軸方向に延在した部位１２ｂ２）が複数個の皿ねじ１２ｇで子扉１１の扉本体１１ａの支持側端面１１ｂに止め付けられている。丸棒軸１２ｃは、親扉用羽根１２ａに対して子扉用羽根１２ｂが当該丸棒軸１２ｃの軸心ＣＴ１を中心として図５中に示す矢印Ｋ、Ｌ方向に回転するように、親扉用羽根１２ａ及び子扉用羽根１２ｂを互いに連結している。ここで、図４に示すように、丸棒軸１２ｃは、子扉付きドア１において室外寄りに配置されている。スプリング１２ｄは、親扉用羽根１２ａに対して子扉用羽根１２ｂを常に離反方向（図５中に示す矢印Ｌ方向）に付勢するように丸棒軸１２ｃの周囲に巻回されている。各ワッシャ１２ｅはそれぞれ、親扉用羽根１２ａと子扉用羽根１２ｂとの間に位置するように丸棒軸１２ｃに挿通されている。
【００２４】
このような構造によって、図４に示すように、子扉１１は、全閉状態（図４中の実線参照）から開かれると、扉本体１１ａの支持側端面１１ｂが親扉２の室外側の表側面２ｂから離れるように移動し、室外側に持ち出しながら全開状態（図４中の二点破線参照）になる。これにより、鍔部９は、子扉１１の持ち出し構造（子扉１１が全閉状態（図４中の実線参照）から室外側に持ち出しながら開かれて全開状態（図４中の二点破線参照）になる構造）により、子扉１１が全閉状態から全開状態に至る間に親扉２の室外側の側面２ｂに干渉する不都合は生じない。
【００２５】
また、図６に示すように、子扉１１の扉本体１１ａの開放側端面１１ｃと、この開放側端面１１ｃに対向する親扉２の扉本体２ａの開放側端面２ｅとの間には、子扉１１を所定の維持角度θ３（例えば、θ３＝２０°）で半開きに維持可能にする換気用ストッパ１３が取り付けられている。換気用ストッパ１３は、当該換気用ストッパ１３（具体的には、後述の温度ヒューズ１３ｈ）が予め設定した温度になると、半開きに維持している子扉１１を閉じるように構成されている。
【００２６】
図６及び図７に示すように、換気用ストッパ１３は、主にアーム１３ａと、係着ピン１３ｂと、第１スプリング１３ｃと、凹部（端部収容部）１３ｄと、係止ピン１３ｅと、ブラケット１３ｆと、ヒューズ取付板１３ｇと、温度ヒューズ１３ｈと、第２スプリング１３ｋとから構成されている。
【００２７】
ここで、図６に示すように、アーム１３ａは、長尺の平板状のアーム本体１３ｉを有している。アーム本体１３ｉの一端には平板状の係止部１３ｊが、アーム本体１３ｉに対して所定の傾斜角度θ４だけ傾斜して連設されている。この傾斜角度θ４は子扉１１の維持角度θ３にほぼ一致している。一方、アーム本体１３ｉの他端には係着ピン１３ｂが取り付けられている。係着ピン１３ｂは、子扉１１の扉本体１１ａの開放側端面１１ｃに遊嵌されている。第１スプリング１３ｃは、係着ピン１３ｂを介してアーム本体１３ｉの他端部を常に子扉１１の扉本体１１ａの開放側端面１１ｃに近づける向きに付勢するように係着ピン１３ｂの周囲に巻回されている。すなわち、第１スプリング１３ｃは、アーム本体１３ｉの一端部を親扉２の扉本体２ａの開放側端面２ｅに押し付けるように付勢するように巻回されている。
【００２８】
また、図７に示すように、子扉１１の扉本体１１ａの開放側端面１１ｃには当該開放側端面１１ｃに対して凹となる凹部１３ｄが形成されている。凹部１３ｄは、係着ピン１３ｂが設けられた部位の真下であって、アーム１３ａが吊り下げられた状態で係止部１３ｊが対向する位置に形成されている。ここで、アーム１３ａが吊り下げられた状態で、係止部１３ｊは、アーム本体１３ｉに対して子扉１１の扉本体１１ａの開放側端面１１ｃ側に傾いた状態になる。凹部１３ｄは、このような係止部１３ｊを収容する。
【００２９】
また、図６及び図７（Ｂ）に示すように、係止ピン１３ｅは、ブラケット１３ｆに遊嵌された形で親扉２の扉本体２ａの開放側端面２ｅに進退自在に埋設されている。第２スプリング１３ｋは、常に係止ピン１３ｅを後退させる向きに付勢するように係止ピン１３ｅの周囲に巻回されている。係止ピン１３ｅの後端には、ヒューズ取付板１３ｇが取り付けられている。温度ヒューズ１３ｈは、ブラケット１３ｆとヒューズ取付板１３ｇとの間に張設されており、係止ピン１３ｅの前端部１３ｅ１を親扉２の開放側端面２ｅから少し突出させた状態で保持している。温度ヒューズ１３ｈが予め設定した温度になると剛性が弱くなるため（例えば、溶断するため）、係止ピン１３ｅは、第２スプリング１３ｋの弾性力によって後退する。これによって、係止ピン１３ｅの前端部１３ｅ１が親扉２の開放側端面２ｅから突出した状態から当該親扉２内に移動し収容される。
【００３０】
これにより、換気用ストッパ１３は、子扉１１を所定の維持角度θ３で半開きに維持するとともに、予め設定した温度になると、半開きに維持している子扉１１を閉じる。
【００３１】
さらに、図１乃至図３に示すように、親扉２の室内側の側面２ｃには、親扉２の表裏を結ぶ方向（図２乃至図３中に示す矢印Ｍ、Ｎ方向）に空気を通す内開き式の網戸１４が、フレーム１６を介して取り付けられている。網戸１４は、子扉用開口部１０を覆うように、かつ室内側に開くように開閉自在になっている。例えば、網戸１４は、枠がステンレス材料によって形成されている。
【００３２】
（動作、作用等）
子扉付きドア１が施工された戸建て住宅等において、居住者は、親扉２を閉めたまま室内を換気する際には、玄関において、以下の手順により、子扉付きドア１の子扉１１を半開きにする。
【００３３】
先ず、居住者は、室内側から網戸１４を室内側（手前）に引いて開いて、子扉１１を室外側に押す。すると、蝶番１２は、蝶番１２のスプリング１２ｄの弾性力に抗する形で、子扉用羽根１２ｂが親扉用羽根１２ａに対して接近方向（図５中に示す矢印Ｋ方向）に回転移動し、子扉１１が室外側に開く。
【００３４】
そして、居住者は、子扉１１が所定の維持角度θ３に達したところで、換気用ストッパ１３を用いて子扉１１を半開きの状態に維持する。それには、居住者は、アーム１３ａの自重で係止部１３ｊが下向きに吊り下げられている鉛直状態から、アーム１３ａが水平状態になるまで係止部１３ｊを持ち上げて親扉２の開放側端面２ｅから突出している係止ピン１３ｅ（係止ピン１３ｅの前端部１３ｅ１）に引っ掛けて係止する。こうすることで、子扉１１がアーム１３ａで半開きの状態に維持された状態になる。最後に、居住者は網戸１４を閉める。
【００３５】
このようにして、子扉１１がアーム１３ａで半開きの状態に維持されると、室内空間と室外空間とが子扉用開口部１０を介して連通するため、この子扉用開口部１０を通して室内と室外との間で空気の入れ替えが行われ、室内が換気される。
【００３６】
このとき、子扉１１が半開き状態にされていても、親扉２には網戸１４が子扉用開口部１０を覆うように取り付けられているので、室外から子扉用開口部１０を通って室内に虫等が侵入する事態を未然に防止できる。
【００３７】
また、こうして親扉２を閉めたまま子扉１１を開けて室内を換気しているときに、室内で火災が起きた場合には、換気用ストッパ１３において、温度ヒューズ１３ｈが溶断する。その結果、スプリング１３ｋの弾性力によって係止ピン１３ｅが後退し、アーム１３ａの係止部１３ｊと係止ピン１３ｅとの係止状態が解除される。そのため、アーム１３ａは、係着ピン１３ｂを中心として回転する形で係止部１３ｊを下降させて鉛直状態になる。
【００３８】
すると、３個の蝶番１２のスプリング１２ｄの弾性力により、半開きの子扉１１が閉まって全閉状態になる。このとき、親扉２と子扉１１との隙間Ｃ１は気密ゴム１５で塞がれるので、室内と室外とは子扉付きドア１によって完全に遮断された状態になる。
【００３９】
このように、子扉１１が半開きの状態で火災が起きると、換気用ストッパ１３による子扉１１の半開き維持状態が自動的に解除され、子扉１１が全閉状態になる。したがって、子扉付きドア１は、隣家への延焼を防ぎ、防災基準を満たす。
【００４０】
なお、アーム１３ａの係止部１３ｊが下降してアーム１３ａが鉛直状態になると、図７に示すように、スプリング１３ｃの弾性力により、アーム本体１３ｉの他端部が子扉１１の扉本体１１ａの開放側端面１１ｃに接触し、アーム１３ａの係止部１３ｊが凹部１３ｄに収納されるので、係止部１３ｊがアーム本体１３ｉに対して傾斜しているからといって、アーム１３ａが子扉１１の扉本体１１ａの開放側端面１１ｃからアーム１３ａの厚さ以上に突出することは起きない。したがって、子扉１１が閉まる動作は、親扉２の室外側の側面２ｂにアーム１３ａが干渉することなく円滑に実行される。
【００４１】
さらに、子扉付きドア１が施工された戸建て住宅等において、地震などの災害が発生して室外へ避難しようとする場合、先ずは、居住者は、親扉２の内側のハンドル６を把持し、親扉２を室外側に押して開いた後、室内から室外へ逃げ出す。
【００４２】
ところが、災害に伴ってドア枠４が斜め（平行四辺形）に変形して親扉２に噛み合い、親扉２を押しても親扉２が開かない事態が生じうる。こうした事態が生じた場合には、次善の策として、玄関において、先ず、居住者は、網戸１４を室内側に引いて開く。次に、子扉１１を室外側に押し開いて全開状態にする。この状態で、居住者は、子扉用開口部１０を通って室内から室外へ逃げ出す。
【００４３】
このように、災害が発生して親扉２が開かない場合には、網戸１４を取り外す作業などせず網戸１４を開く操作をするだけで、子扉用開口部１０を室内側に臨むようにできる。そのため、居住者は、網戸１４を子扉用開口部１０を覆っている状態から覆わない状態に早く変化させることができ、子扉用開口部１０を通って室内から室外へ迅速かつ安全に逃げ出して避難できる。
【００４４】
しかも、子扉付きドア１は、子扉１１が外開き式（つまり、逃げ出す向きに開く方式）であるため、内開き式（つまり、逃げ出す向きとは反対の向きに開く方式）の場合と異なり、子扉１１を開けるために一旦停止する必要がないので、避難時の迅速性及び安全性を一層高められる。
【００４５】
さらに、図１（Ａ）及び（Ｂ）に示すように、子扉用開口部１０の下部は、ドア枠４の下辺部から少しだけ上側の高さに位置しているに過ぎないので、高齢者や子どもでも親扉２の下部を難なく跨いで容易に逃げられる。
【００４６】
（実施形態における効果）
（１）子扉付きドア１は、子扉用開口部１０を覆うように網戸１４を設けることで、子扉１１を開けている状態で子扉用開口部１０からの虫等の侵入を防げる。例えば、特許文献１に開示のようなガラリでは、子扉用開口部１０からの虫等の侵入を効果的に防げない。しかも、親扉２の子扉用開口部１０には子扉１１のみが収容されているため、子扉１１の厚さも親扉２の厚さ同等に確保できる。これにより、特許文献１のように子扉用開口部１０内にガラリも設けられている場合に比べて、網戸１４を設けながらも（虫等の侵入を防ぎながらも）、子扉付きドア１全体の剛性を高められる利点がある。
【００４７】
（２）子扉付きドア１は、換気用ストッパ１３によって、火災発生時に子扉１１が自動的に閉まり、防災基準が満たされる。
【００４８】
（３）子扉付きドア１は、親扉２と子扉１１との間の隙間Ｃ１を鍔部９で室外側から目隠しでき、防犯性に優れる。例えば、空き巣狙い等の犯罪者が、親扉２と子扉１１との隙間Ｃ１に室外側からバール等の器具を差し込んで子扉１１をこじ開ける犯罪を有効に防止できる。さらに、子扉付きドア１は、子扉１１が持ち出しながら開かれることで、鍔部９を親扉２に干渉させることなく子扉１１を開けることができる。
【００４９】
（４）子扉付きドア１は、災害時に室内の人が子扉用開口部１０を通って室外へ迅速に逃げ出して避難できる。
【００５０】
（５）図１（Ａ）に示すように、子扉付きドア１は、親扉２と子扉１１とが室外から見たデザインが統一されているので、外観デザインの一体性を容易に確保できる。
【００５１】
（６）子扉付きドア１は、子扉１１の室内側に網戸１４が子扉用開口部１０を覆うように取り付けられているが、網戸１４には全面に多数の通風口が形成されているので、子扉１１に設けられたドアスコープ８は、子扉１１の扉本体１１ａの上下方向及び左右方向のどの部位に設けられていても十全に機能する。
【００５２】
なお、本実施形態では、換気用ストッパ１３は、例えば、維持手段を構成する。また、網戸１４は、例えば、通風部を構成する。
【００５３】
（本実施形態の変形例等）
前記の実施形態は、戸建て住宅等の間取りやアルコーブその他の状況に応じて、種々変形することが可能である。
【００５４】
例えば、親扉２の扉本体２ａは、前記の実施形態とは逆に、室内側から見て、右側に支持側端面２ｄ、左側に開放側端面２ｅを形成することもできる。さらに、親扉２を内開き式にすることもできる。また、子扉１１の扉本体１１ａは、前記の実施形態とは逆に、室内側から見て、右側に支持側端面１１ｂ、左側に開放側端面１１ｃを形成することもできる。また、網戸１４を内開き式以外の取付方式、例えば、嵌め込み式や引き戸式にすることもできる。
【００５５】
また、前記の実施形態の他の例として、親扉２の扉本体２ａや子扉１１の扉本体１１ａの材質は、鋼板に限定されず他の材質、例えば、硬質の木材としてもよい。或いはまた、子扉付きドア１の重厚さを高めるべく、親扉２の扉本体２ａの室外側にステンレス製の鏡面版（図示せず）を貼り付けても構わない。
【００５６】
また、前記の実施形態の他の例として、鍔部９の材質は、鋼板に限定されず他の材質、例えば、鋼板をアルミニウム板で化粧した複合材料としてもよい。
【００５７】
また、前記の実施形態の他の例として、網戸１４の材質は、ステンレスに限定されず他の材質、例えば、鋼材や合成樹脂としてもよい。
【００５８】
また、前記の実施形態の他の例として、網戸１４の代わりに、子扉付きドア１の意匠性を重視して所望の通風窓やガラリ（図示せず）を代用することもできる。
【００５９】
また、前記の実施形態の他の例として、親扉２の扉本体２ａの形状は、縦長長方形板状に限定されず他の形状、例えば、縦長長円形板状に形成されることもできる。
【００６０】
また、前記の実施形態の他の例として、子扉用開口部１０の形状は、縦長長方形断面状に限定されず他の形状、例えば、正方形断面状に形成されることもできる。
【００６１】
また、前記の実施形態の他の例として、子扉１１の扉本体１１ａの形状は、縦長長方形板状に限定されず他の形状、例えば、正方形板状に形成されることもできる。
【００６２】
また、前記の実施形態の他の例として、子扉１１の扉本体１１ａの室外側に取っ手（図示せず）を取り付けて、子扉１１の開閉を容易にすることもできる。
【００６３】
また、前記の実施形態の他の例として、子扉付きドア１は、マンションやアパート等の集合住宅において、各住戸の玄関ドアとして施工されることもできる。或いは、戸建て住宅や集合住宅の各住戸の内部において、例えば、居室と廊下とを仕切る仕切りドアとして施工されることもできる。
【００６４】
さらに、前記の各変形例を適宜組み合わせてもよい。例えば、内開き式の親扉に嵌め込み式の網戸を取り付けるようにしても構わない。
【００６５】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００６６】
１  子扉付きドア、２  親扉、９  鍔部、１０  子扉用開口部、１０ａ  外周部、１１  子扉、１３  換気用ストッパ、１４  網戸
【要約】
【課題】子扉付きドアにおいて子扉を開けている状態で室外からの虫等の侵入を防ぐ。
【解決手段】子扉付きドア１は、親扉２と、親扉２の表裏を貫通し形成された子扉用開口部１０を開閉自在にし、かつ室外側に開くように親扉２に取り付けられた子扉１１と、を有している。また、子扉１１を開いた状態に維持可能にする換気用ストッパと、親扉２の室内側の側面２ｃに子扉用開口部１０を覆うように取り付けられ、親扉２の表裏を結ぶ方向に空気を通す網戸１４と、を有している。子扉１１を室外側に開いた状態で維持できる構造において、子扉用開口部１０を覆うように網戸１４を設けることで、子扉用開口部１０からの虫等の侵入を防げる。
【選択図】図１【図１】
0006961170.tif 000002
【図２】
0006961170.tif 000003
【図３】
0006961170.tif 000004
【図４】
0006961170.tif 000005
【図５】
0006961170.tif 000006
【図６】
0006961170.tif 000007
【図７】
0006961170.tif 000008